(57)【要約】【課題】コンテンツを視聴する各ユーザの年齢等に応じて適切に視聴制限を行うことが可能なコンテンツ配信装置を提供する。【解決手段】コンテンツ配信装置１００は、映像信号を取得する取得部１０１と、当該映像信号に含まれる、コンテンツ及び当該コンテンツの視聴を制限するための視聴制限情報を抽出する抽出部１０２と、ユーザによって設定される、視聴制限情報に基づいてコンテンツの配信を制限するための配信制限設定が記憶される第一の記憶部１０３と、コンテンツの視聴制限情報が配信制限設定によって配信が制限される範囲に含まれないと判断したときに、コンテンツと当該コンテンツの視聴制限情報とを配信する配信制御部１０４とを備える。【選択図】図１
2014195154.tif 000002
【特許請求の範囲】
【請求項１】
再生装置にコンテンツを配信するコンテンツ配信装置であって、
映像信号を取得する取得部と、
前記取得部が取得した前記映像信号に含まれる、コンテンツ及び当該コンテンツの視聴を制限するための視聴制限情報を抽出する抽出部と、
ユーザによって設定される、前記視聴制限情報に基づいて前記コンテンツの配信を制限するための配信制限設定が記憶される記憶部と、
前記コンテンツの前記視聴制限情報が前記配信制限設定によって配信が制限される範囲に含まれないと判断したときに、前記コンテンツと当該コンテンツの前記視聴制限情報とを前記再生装置に配信する配信制御部とを備える
コンテンツ配信装置。
【請求項２】
前記配信制御部は、前記再生装置から前記コンテンツの指定を受信した場合、指定された前記コンテンツの前記視聴制限情報が前記配信制限設定によって配信が制限される範囲に含まれないと判断したときに、指定された前記コンテンツと当該コンテンツの前記視聴制限情報とを前記再生装置に配信する
請求項１に記載のコンテンツ配信装置。
【請求項３】
前記抽出部は、前記映像信号に含まれる複数のコンテンツと、当該複数のコンテンツそれぞれの前記視聴制限情報とを抽出し、
前記コンテンツ配信装置は、さらに、前記複数のコンテンツのうちから前記視聴制限情報が前記配信制限設定によって配信が制限される範囲に含まれないコンテンツを選択し、選択したコンテンツのコンテンツリストを生成するコンテンツリスト生成部を備え、
前記配信制御部は、前記コンテンツリストと、当該コンテンツリストに含まれるコンテンツの前記視聴制限情報それぞれとを前記再生装置に配信した後、前記再生装置から前記コンテンツリストに含まれるコンテンツの指定を受信した場合に、指定されたコンテンツと当該指定されたコンテンツの前記視聴制限情報とを前記再生装置に配信する
請求項１に記載のコンテンツ配信装置。
【請求項４】
前記コンテンツリスト生成部は、前記複数のコンテンツのうち、前記視聴制限情報が前記配信制限設定によって配信が制限される範囲に含まれると判断されたために、前記コンテンツリストから除外されたコンテンツを示す情報をさらに生成し、生成した情報を含む前記コンテンツリストと、当該コンテンツリストに含まれるコンテンツの前記視聴制限情報それぞれとを前記再生装置に配信する
請求項３に記載のコンテンツ配信装置。
【請求項５】
前記配信制御部は、前記コンテンツの前記視聴制限情報が前記配信制限設定によって配信が制限される範囲に含まれると判断したときは、前記指定されたコンテンツの配信ができないことを示すエラー情報を前記再生装置に配信する
請求項１〜４のいずれか１項に記載のコンテンツ配信装置。
【請求項６】
前記記憶部には、前記視聴制限情報が前記配信制限設定によって配信が制限される範囲に含まれると判断される前記コンテンツの配信を許可するための第一の認証情報が記憶され、
前記配信制御部は、
前記コンテンツの前記視聴制限情報が前記配信制限設定によって配信が制限される範囲に含まれると判断したときは、前記再生装置に認証情報を要求し、
前記要求に応じて取得した認証情報が前記第一の認証情報と一致すると判断したときは、前記コンテンツと当該指定されたコンテンツの前記視聴制限情報とを前記再生装置に配信する
請求項１〜５のいずれか１項に記載のコンテンツ配信装置。
【請求項７】
前記記憶部には、特定の再生装置を示す第一の端末情報が記憶され、
前記配信制御部は、前記再生装置から端末情報を受信した場合に、受信した端末情報が前記第一の端末情報と一致すると判断したときは、前記コンテンツの前記視聴制限情報が、前記配信制限設定によって配信が制限される範囲であるか否かにかかわらず、前記コンテンツと当該指定されたコンテンツの前記視聴制限情報とを前記再生装置に配信する
請求項１〜６のいずれか１項に記載のコンテンツ配信装置。
【請求項８】
前記配信制御部は、前記コンテンツの前記視聴制限情報が前記配信制限設定によって配信が制限される範囲に含まれると判断したときには、当該コンテンツを前記再生装置に配信しない
請求項１〜４のいずれか１項に記載のコンテンツ配信装置。
【請求項９】
前記視聴制限情報は、コンテンツの対象年齢を示す情報、またはコンテンツの購入金額を示す情報である
請求項１〜８のいずれか１項に記載のコンテンツ配信装置。
【請求項１０】
前記取得部は、放送波を受信し、受信した放送波から前記映像信号を取得する
請求項１〜９のいずれか１項に記載のコンテンツ配信装置。
【請求項１１】
さらに、前記映像信号が記憶されるコンテンツ記憶部を備え、
前記取得部は、前記コンテンツ記憶部から前記映像信号を取得する
請求項１〜９のいずれか１項に記載のコンテンツ配信装置。
【請求項１２】
再生装置と、当該再生装置にコンテンツを配信するコンテンツ配信装置を備えるコンテンツ配信システムであって、
前記コンテンツ配信装置は、
映像信号を取得する取得部と、
前記取得部が取得した前記映像信号に含まれる、コンテンツ及び当該コンテンツの視聴を制限するための視聴制限情報を抽出する抽出部と、
ユーザによって設定される、前記視聴制限情報に基づいてコンテンツの配信を制限するための配信制限設定が記憶される第一の記憶部と、
前記コンテンツの前記視聴制限情報が前記配信制限設定によって配信が制限される範囲に含まれないと判断したときに、前記コンテンツと当該コンテンツの前記視聴制限情報とを前記再生装置に配信する配信制御部とを有し、
前記再生装置は、
前記配信制御部によって配信されたコンテンツと、前記配信されたコンテンツの視聴制限情報とを受信する通信部と、
ユーザによって設定される、前記通信部が受信した前記視聴制限情報に基づいて前記配信されたコンテンツの再生を制限するための再生制限設定が記憶される第二の記憶部と、
前記配信されたコンテンツの前記視聴制限情報が前記再生制限設定によって再生が制限される範囲に含まれないと判断したときに、前記配信されたコンテンツを再生する再生制御部とを有する
コンテンツ配信システム。
【請求項１３】
再生装置にコンテンツを配信するコンテンツ配信方法であって、
映像信号を取得する取得ステップと、
前記取得ステップにおいて取得した前記映像信号に含まれる、コンテンツ及び当該コンテンツの視聴を制限するための視聴制限情報を抽出する抽出ステップと、
前記コンテンツの前記視聴制限情報が、前記コンテンツの配信を制限するための配信制限設定によって配信が制限される範囲に含まれないと判断したときに、前記コンテンツと当該コンテンツの前記視聴制限情報とを前記再生装置に配信する配信制御ステップとを含む
コンテンツ配信方法。
【請求項１４】
さらに、
前記再生装置が、前記配信制御ステップにおいて配信されたコンテンツと、配信されたコンテンツの視聴制限情報とを受信する通信ステップと、
前記再生装置が、前記配信されたコンテンツの前記視聴制限情報が、前記配信されたコンテンツの再生を制限するための再生制限設定によって再生が制限される範囲に含まれないと判断したときに、前記配信されたコンテンツを再生する再生制御ステップとを含む
請求項１３に記載のコンテンツ配信方法。
【発明の詳細な説明】
【技術分野】
【０００１】
本開示は、コンテンツの視聴制限を行うコンテンツ配信装置等に関する。
【背景技術】
【０００２】
従来、クライアント端末と無線接続され、当該クライアント端末にコンテンツを配信するサーバ装置（コンテンツ配信装置）が知られている（例えば、特許文献１参照）。
【０００３】
また、成人向けの番組や暴力シーンを含む番組など視聴年齢制限のある番組の電子番組表（ＥＰＧ）や、このような番組自体の表示を制限する、視聴制限機能を有するコンテンツ配信装置が知られている。
【先行技術文献】
【特許文献】
【０００４】
【特許文献１】特開２００７−１３３６６１号公報
【発明の概要】
【発明が解決しようとする課題】
【０００５】
例えば、上記の視聴制限機能を有するコンテンツ配信装置が家庭内に設けられ、複数のユーザが自己の端末によってコンテンツ配信装置に接続し、配信されるコンテンツを視聴する場合が考えられる。このような場合、コンテンツ配信装置には、各ユーザの年齢等に応じて適切に視聴制限を行うことが望まれる。
【０００６】
本開示は、コンテンツを視聴する各ユーザの年齢等に応じて適切に視聴制限を行うことが可能なコンテンツ配信装置を提供する。
【課題を解決するための手段】
【０００７】
本開示のコンテンツ配信装置は、再生装置にコンテンツを配信するコンテンツ配信装置であって、映像信号を取得する取得部と、前記取得部が取得した前記映像信号に含まれる、コンテンツ及び当該コンテンツの視聴を制限するための視聴制限情報を抽出する抽出部と、ユーザによって設定される、前記視聴制限情報に基づいて前記コンテンツの配信を制限するための配信制限設定が記憶される記憶部と、前記コンテンツの前記視聴制限情報が前記配信制限設定によって配信が制限される範囲に含まれないと判断したときに、前記コンテンツと当該コンテンツの前記視聴制限情報とを前記再生装置に配信する配信制御部とを備える。
【発明の効果】
【０００８】
本開示のコンテンツ配信装置によれば、配信されたコンテンツを視聴する各ユーザの年齢等に応じて適切に視聴制限を行うことができる。
【図面の簡単な説明】
【０００９】
【図１】図１は、実施の形態１に係るコンテンツ配信システムの構成を示すブロック図である。
【図２】図２は、実施の形態１に係るコンテンツ配信システムの全体の動作を示す図である。
【図３】図３は、実施の形態１に係るコンテンツ配信装置の動作を示す第１のフローチャートである。
【図４】図４は、実施の形態１に係る再生装置の動作を示す第１のフローチャートである。
【図５】図５は、実施の形態１に係るコンテンツ配信装置の動作を示す第２のフローチャートである。
【図６】図６は、実施の形態１に係る再生装置の動作を示す第２のフローチャートである。
【図７】図７は、実施の形態１に係るコンテンツ配信システムによるコンテンツの視聴制限の具体例を説明するための図である。
【図８】図８は、実施の形態１に係るコンテンツ配信システムの適用例を説明するための図である。
【図９】図９は、コンテンツ配信システムの別の例を示す図である。
【発明を実施するための形態】
【００１０】
（本開示の基礎となった知見）
背景技術で説明したように、視聴制限機能を有するコンテンツ配信装置が知られている。まず、コンテンツ配信装置の視聴制限について説明する。
【００１１】
視聴制限機能を有するコンテンツ配信装置は、コンテンツと当該コンテンツのパレンタルレート記述子（Ｐａｒｅｎｔａｌ  Ｒａｔｉｎｇ  Ｄｅｓｃｒｉｐｔｏｒ）が含まれる映像信号を取得し、パレンタルレート記述子によってコンテンツの視聴制限を行う。ここで、パレンタルレート記述子は、コンテンツの視聴対象の年齢が記述された情報である。具体的には、例えば、コンテンツのパレンタルレート記述子に含まれるレーティング値が「１５」を示す場合、当該コンテンツは、１５歳以上の年齢のユーザが視聴可能なコンテンツである。
【００１２】
ここで、視聴制限機能を有する装置では、視聴制限設定が設定される。視聴制限設定は、パレンタルレート記述子に基づいて視聴制限を行うための情報である。以下、コンテンツ配信装置における視聴制限設定を配信制限設定（ＳＲ）と記載する。
【００１３】
例えば、配信制限設定が「１７」に設定されている場合、コンテンツ配信装置は、コンテンツのパレンタルレート記述子に含まれるレーティング値が「１７」以下のコンテンツのみを配信する。
【００１４】
すなわち、配信制限設定が示す値をＳＲ、パレンタルレート記述子に含まれるレーティングの値をＲとした場合、コンテンツ配信装置は、Ｒ≦ＳＲであるコンテンツのみを配信する。
【００１５】
ここで、例えば、１３歳、１６歳、４５歳の３人のユーザがいる家庭では、１３歳のユーザに適切に視聴制限を行うためには、コンテンツ配信装置においてＳＲ＝１３と設定する必要がある。しかしながら、このような場合、Ｒ＞１３のコンテンツは、コンテンツ配信装置から配信されないため、１６歳のユーザ及び４５歳のユーザは、本来視聴可能なコンテンツを視聴できない。つまり、このようなコンテンツ配信装置では、各ユーザの年齢に応じて適切に視聴制限を行うことができない。
【００１６】
一方、コンテンツ配信装置ではなく、コンテンツ配信装置からコンテンツを受信する、各ユーザの端末において、上記パレンタルレート記述子に含まれるレーティング値を用いて視聴制限を行う方式も考えられる。端末における視聴制限設定を、再生制限設定（ＴＲ）とした場合、端末ごとに再生制限設定が設定されるため、各ユーザの年齢に応じて視聴制限を行うことが可能である。
【００１７】
しかしながら、このような構成では、端末の所有者が再生制限設定を変更してしまう可能性がある。例えば、１６歳のユーザが、自己の端末の再生制限設定をＴＲ＝２０に設定し、本来は視聴が制限されるコンテンツを視聴してしまう可能性があり、安全性の面で十分でない。
【００１８】
そこで、本開示に係るコンテンツ配信装置は、コンテンツ配信装置自身によって配信するコンテンツを制限するとともに、パレンタルレート記述子を含んだ状態でコンテンツを各ユーザの各端末に送信する。
【００１９】
これにより、コンテンツ配信装置において配信されるコンテンツを制限しつつ、さらに端末側でもパレンタルレート記述子に含まれるレーティング値を用いて個別に視聴制限を行うことができる。つまり、本開示によれば、コンテンツの視聴制限を２重に行うことができ、安全性を確保したコンテンツの配信が可能となる。また、本開示によれば、コンテンツを視聴する各ユーザの視聴条件に応じて、適切に各ユーザの視聴制限を行うことができる。
【００２０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２１】
なお、発明者らは、当業者が本開示を十分に理解するために添付図面および以下の説明を提供するのであって、これらによって特許請求の範囲に記載の主題を限定することを意図するものではない。
【００２２】
（実施の形態１）
［１−１．構成］
まず、図１を用いて、実施の形態１に係るコンテンツ配信システムの構成について説明する。
【００２３】
図１は、実施の形態１に係るコンテンツ配信システムの構成を示すブロック図である。
【００２４】
図１に示されるように、コンテンツ配信システム３００は、コンテンツ配信装置１００と、再生装置２００とを備える。なお、コンテンツ配信システム３００は、コンテンツ配信装置１００及び再生装置２００をそれぞれ複数備えてもよい。
【００２５】
まず、コンテンツ配信装置１００の構成について説明する。
【００２６】
コンテンツ配信装置１００は、取得部１０１と、抽出部１０２と、第一の記憶部１０３と、配信制御部１０４と、第一の通信部１０５と、コンテンツリスト生成部１０６と、限定受信部１０７とを備える。
【００２７】
コンテンツ配信装置１００は、実施の形態１では、セットトップボックス（ＳＴＢ）である。コンテンツ配信装置１００は、テレビ、ＢＤ（Ｂｌｕ−ｒａｙ（登録商標）  Ｄｉｓｃ）レコーダなどとしても実現可能である。
【００２８】
取得部１０１は、放送波を受信し、受信した放送波から映像信号を取得する。取得部１０１は、具体的には、チューナであり、配信制御部１０４の制御に基づき、所定の周波数のチューニング情報を用いて放送波を復調し、映像信号を取得する。
【００２９】
実施の形態１では、映像信号は、ＭＰＥＧ２−ＴＳ（Ｔｒａｎｓｐｏｒｔ  Ｓｔｒｅａｍ）である。ＭＰＥＧ２−ＴＳには、ＭＰＥＧ２  Ｖｉｄｅｏ、ＭＰＥＧ２−ＡＡＣ／ＢＣ、ＰＭＴ（Ｐｒｏｇｒａｍ  Ｍａｐ  Ｔａｂｌｅ）などの情報が含まれる。すなわち、映像信号には、コンテンツ（映像、音声、字幕・文字スーパーなど）と、コンテンツ情報（ＰＭＴ、限定受信情報など）とが含まれる。
【００３０】
なお、取得部１０１の構成は、このような構成に限定されない。取得部１０１は、映像信号を取得できればよい。例えば、取得部１０１は、ＢＤ、ＤＶＤ(Ｄｉｇｉｔａｌ  Ｖｅｒｓａｔｉｌｅ  Ｄｉｓｃ)などのディスクメディアに記録された映像信号やインターネット上のＩＰコンテンツから映像信号を取得してもよい。
【００３１】
抽出部１０２は、映像信号に含まれる、コンテンツ及び当該コンテンツの視聴を制限するための視聴制限情報を抽出する。抽出部１０２は、具体的には、デスクランブラと、ＴＳデコーダとから構成される。
【００３２】
デスクランブラは、配信制御部１０４から取得した映像信号のデスクランブルに必要な情報（デスクランブル鍵）を取得し、映像信号をデスクランブルする。ＴＳデコーダは、デスクランブルされた映像信号をデコードする。この結果、映像信号からコンテンツ及びその視聴制限情報が抽出される。
【００３３】
実施の形態１では、視聴制限情報は、ＰＭＴに含まれるパレンタルレート記述子である。パレンタルレート記述子は、コンテンツの視聴対象の年齢が記述された情報である。なお、視聴制限情報は、視聴制限に用いることができる情報であれば、このような態様に限定されず、どのようなものであってもよい。なお、以下の説明では、視聴制限情報を「Ｒ」の記号で表す。例えば、コンテンツの視聴制限情報Ｒ＝１５の場合は、当該コンテンツの視聴対象の年齢が１５歳以上であるとして説明される。
【００３４】
第一の記憶部１０３は、情報が記憶される記憶部である。第一の記憶部１０３は、具体的には、ＦＬＡＳＨメモリや、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などである。
【００３５】
第一の記憶部１０３には、具体的には、視聴制限情報に基づいてコンテンツの配信を制限するための配信制限設定が記憶される。配信制限設定は、コンテンツ配信装置１００のユーザによって設定される、配信が制限されるコンテンツの視聴制限情報の範囲を示す情報である。
【００３６】
なお、以下の説明では配信制限設定を「ＳＲ」の記号で表す。例えば、配信制限設定がＳＲ＝１５に設定される場合、視聴制限情報Ｒ＞１５のコンテンツは、配信制限され、視聴制限情報Ｒ≦１５のコンテンツは、配信制限されないものとして説明される。
【００３７】
また、第一の記憶部１０３には、第一の認証情報が記憶される。第一の認証情報は、コンテンツ配信装置１００からの配信が制限されるコンテンツ、つまり、Ｒ＞ＳＲであるコンテンツを例外的に配信するための認証情報である。言い換えれば、第一の認証情報は、視聴制限情報Ｒが配信制限設定ＳＲによって配信が制限される範囲に含まれるコンテンツの配信を許可するための認証情報である。したがって、Ｒ＞ＳＲであるコンテンツであっても、再生装置２００から第一の認証情報に一致する認証情報を受信した場合は、当該コンテンツは、例外的に配信される。
【００３８】
配信制御部１０４は、コンテンツ配信装置１００のコンテンツの配信を制御する制御部である。配信制御部１０４は、具体的には、ＣＰＵ（Ｃｅｎｔｒａｌ  Ｐｒｏｃｅｓｓｉｎｇ  Ｕｎｉｔ）、ＤＭＳ（Ｄｉｇｉｔａｌ  Ｍｅｄｉａ  Ｓｅｒｖｅｒ）、トランスコーダ等から構成される。
【００３９】
配信制御部１０４は、例えば、抽出部１０２が映像信号から抽出したチャンネル情報及び番組情報を取得する。また、例えば、配信制御部１０４は、映像信号が暗号化されている場合は、限定受信部１０７からデスクランブル鍵を取得し、抽出部１０２に送信する。また、例えば配信制御部１０４は、再生装置２００に配信されるコンテンツのフォーマット及び転送レートを変換する。また、配信制御部１０４は、コンテンツ情報に含まれるコピー制御情報に応じて再生装置２００に送信するコンテンツを暗号化する。
【００４０】
また、配信制御部１０４は、再生装置２００からコンテンツの指定を受信した場合に、指定されたコンテンツの視聴制限情報が配信制限設定によって配信が制限される範囲に含まれない（視聴制限情報Ｒ≦配信制限設定ＳＲ）と判断したときは、指定されたコンテンツと当該指定されたコンテンツの視聴制限情報とを第一の通信部１０５を通じて再生装置２００に配信する。この制御は、コンテンツ配信装置１００の特徴的な構成であり、詳細については後述する。
【００４１】
第一の通信部１０５は、再生装置２００と通信を行うためのネットワークインターフェースである。第一の通信部１０５は、有線または無線ネットワークを通じて再生装置２００と制御情報（コンテンツの指定、認証情報など）の送受信、並びにコンテンツ及びコンテンツリストの送信等を行う。有線ネットワークは、例えば、有線ＬＡＮ（Ｌｏｃａｌ  Ａｒｅａ  Ｎｅｔｗｏｒｋ）である。無線ネットワークは、例えば、無線ＬＡＮや、Ｗｉ−Ｆｉ（登録商標）などである。
【００４２】
コンテンツリスト生成部１０６は、配信制御部１０４の制御に基づき、視聴制限情報が配信制限設定によって配信が制限される範囲に含まれないコンテンツを選択し、選択したコンテンをリスト化したコンテンツリストを生成する。コンテンツリストは、再生装置２００のユーザにコンテンツを提示するためのリストである。
【００４３】
コンテンツリストは、例えば、具体的には、再生装置２００の映像・音声出力部２０６に各コンテンツがサムネイル形式で表示されるような情報である。また、コンテンツリストは、上述のコンテンツ情報を用いた情報であってもよい。コンテンツリストは、例えば、再生装置２００の映像・音声出力部２０６に各コンテンツのタイトル一覧が表示されるような情報であってもよい。なお、コンテンツのタイトルは、上述のコンテンツ情報に含まれる。
【００４４】
限定受信部１０７は、具体的には、ＣＡＳ（Ｃｏｎｄｉｔｉｏｎａｌ  Ａｃｃｅｓｓ  Ｓｙｓｔｅｍ）カードと、ＣＡＳカードが挿入されるＣＡＳカードインターフェースと、限定受信制御部とから構成される。限定受信部１０７は、デスクランブル鍵や、契約者情報、有料放送の視聴料金の情報などを配信制御部１０４に送信する。
【００４５】
次に、再生装置２００の構成について説明する。
【００４６】
再生装置２００は、第二の通信部２０１と、再生制御部２０２と、第二の記憶部２０３と、再生部２０４と、操作部２０５と、映像・音声出力部２０６とを備える。
【００４７】
再生装置２００は、実施の形態１では、ＴＶまたはスマートフォンである。再生装置２００は、タブレット端末や、ＰＣ（パーソナルコンピュータ）等であってもよい。
【００４８】
第二の通信部２０１は、コンテンツ配信装置１００と通信を行うためのネットワークインターフェースである。第二の通信部２０１は、第一の通信部１０５と同様に、有線または無線ネットワークを通じてコンテンツ配信装置１００と制御情報（コンテンツの指定、認証情報など）の送受信を行う。第二の通信部２０１は、具体的には、配信制御部１０４によって配信されたコンテンツと、配信されたコンテンツの視聴制限情報を受信する。
【００４９】
第二の記憶部２０３は、情報が記憶される記憶部である。第二の記憶部２０３は、具体的には、ＦＬＡＳＨメモリや、ＥＥＰＲＯＭなどである。第二の記憶部２０３には、具体的には、視聴制限情報に基づいてコンテンツの再生を制限するための再生制限設定が記憶される。再生制限設定は、再生装置２００のユーザによって設定される、視聴制限情報の範囲を示す情報である。
【００５０】
なお、以下の説明では再生制限設定を「ＴＲ」の記号で表す。例えば、再生制限設定がＴＲ＝１５に設定される場合、視聴制限情報Ｒ＞１５のコンテンツは、再生が制限され、視聴制限情報Ｒ≦１５以下のコンテンツは、再生が制限されないものとして説明される。
【００５１】
また、第二の記憶部２０３には、第二の認証情報が記憶される。第二の認証情報は、再生装置２００において再生が制限されるコンテンツ、つまり、Ｒ＞ＴＲであるコンテンツを例外的に再生するための認証情報である。言い換えれば、第二の認証情報は、視聴制限情報Ｒが再生制限設定ＴＲによって配信が制限される範囲に含まれるコンテンツの再生を許可するための認証情報である。したがって、Ｒ＞ＴＲであるコンテンツであっても、操作部２０５を介して第二の認証情報に一致する認証情報を受け付けた場合は、当該コンテンツは、例外的に再生される。
【００５２】
再生制御部２０２は、再生装置２００におけるコンテンツの再生を制御する制御部である。再生制御部２０２は、具体的には、ＣＰＵ、ＤＭＰ（Ｄｉｇｉｔａｌ  Ｍｅｄｉａ  Ｐｌａｙｅｒ）から構成される。
【００５３】
再生制御部２０２は、例えば、操作部２０５が受け付けたユーザ操作に基づき、第二の通信部２０１を用いてコンテンツ配信装置１００にコンテンツリスト要求を送信する。また、コンテンツ配信装置１００から暗号化されたコンテンツを第二の通信部２０１を通じて受信したときは、再生制御部２０２は、コンテンツを復号し、再生部２０４を用いて再生する。
【００５４】
また、再生制御部２０２は、配信制御部１０４によって配信されたコンテンツの視聴制限情報が再生制限設定によって再生が制限される範囲に含まれないと判断したとき（視聴制限情報Ｒ≦再生制限設定ＴＲ）は、配信されたコンテンツを、再生部２０４を用いて再生する。
【００５５】
再生部２０４は、コンテンツを再生する。再生部２０４は、ＡＶデコーダまたはグラフィックスから構成される。再生部２０４は、映像、音声、字幕・文字スーパーなどを含むコンテンツをデコードし、映像・音声出力部２０６に表示（出力）する。
【００５６】
操作部２０５は、ユーザ操作を受け付けるインターフェースである。操作部２０５は、具体的には、リモコン、タッチスクリーン、ポインティングデバイスなどの入力デバイスである。
【００５７】
映像・音声出力部２０６は、コンテンツの映像を表示し、コンテンツの音声を出力するハードウェアである。映像・音声出力部２０６は、具体的には、ディスプレイ（表示部）、タッチスクリーン、スピーカなどである。
【００５８】
［１−２．動作］
［１−２−１．コンテンツ配信システムの動作］
以上のように構成されたコンテンツ配信システム３００の動作について、以下、説明する。
【００５９】
まず、コンテンツ配信システム３００の全体の動作について説明する。
【００６０】
図２は、コンテンツ配信システム３００の全体の動作を示す図である。なお、図２で示される全体の動作は、コンテンツ配信システム３００の動作の概略を示すものであり、各装置の動作の詳細については後述する。また、以下の説明では、コンテンツ配信装置１００（第一の通信部１０５）と再生装置２００（第二の通信部２０１）とは、無線ＬＡＮによって接続されるものとする。
【００６１】
図２に示されるように、コンテンツ配信装置１００では、コンテンツ配信装置１００のユーザによって配信制限設定ＳＲが設定され（Ｓ１０１）、再生装置２００では、再生装置２００のユーザによって再生制限設定ＴＲが設定される（Ｓ１０２）。
【００６２】
ここで、まず、コンテンツ配信装置１００と再生装置２００との無線接続が行われる。具体的には、再生装置２００は、デバイス探索を行い（Ｓ１０３）、コンテンツ配信装置１００は、これに対してデバイス応答を送信する（Ｓ１０４）。続いて、再生装置２００は、デバイス情報要求を送信し（Ｓ１０５）、コンテンツ配信装置１００は、これに対してデバイス情報応答を送信する（Ｓ１０６）。以上、ステップＳ１０３〜ステップＳ１０６の動作により、コンテンツ配信装置１００と、再生装置２００とは無線ＬＡＮによって接続される。
【００６３】
次に、再生装置２００の再生制御部２０２は、操作部２０５が受け付けたユーザ操作に基づき、第二の通信部２０１を通じて、コンテンツ配信装置１００にコンテンツリスト要求を送信する（Ｓ１０７）。
【００６４】
コンテンツ配信装置１００の配信制御部１０４は、第一の通信部１０５を通じて、コンテンツリスト要求を受信し、コンテンツリスト生成部１０６は、配信制御部１０４の制御に基づき、当該コンテンツリスト要求にしたがって、コンテンツリストを生成する（Ｓ１０８）。ここで、コンテンツリストに含まれるコンテンツは、Ｒ≦ＳＲとなるコンテンツである。
【００６５】
配信制御部１０４は、第一の通信部１０５を通じてコンテンツリストと、当該コンテンツリストに含まれるコンテンツそれぞれの視聴制限情報Ｒとを再生装置２００に送信する（Ｓ１０９）。
【００６６】
再生制御部２０２は、コンテンツリストと当該コンテンツリストに含まれるコンテンツそれぞれの視聴制限情報Ｒとを第二の通信部２０１を通じて受信し、コンテンツリストに含まれるコンテンツの中からＲ≦ＴＲとなるコンテンツのみが含まれるコンテンツリストを再構成する。そして、再生制御部２０２は、再構成したコンテンツリストを再生部２０４を介して映像・音声出力部２０６に表示する（Ｓ１１０）。
【００６７】
再生制御部２０２は、操作部２０５を介して再生装置２００のユーザのコンテンツの指定（Ｓ１１１）を受け付け、第二の通信部２０１を通じてコンテンツ配信装置１００にコンテンツの指定を送信する（Ｓ１１２）。
【００６８】
配信制御部１０４は、再生装置２００からコンテンツの指定を受信した場合に、指定されたコンテンツと当該指定されたコンテンツの視聴制限情報Ｒとを第一の通信部１０５を通じて再生装置２００に配信する（Ｓ１１３）。なお、ステップＳ１１３では、視聴制限情報Ｒは、送信されなくてもよい。
【００６９】
最後に、再生制御部２０２は、配信されたコンテンツを再生部２０４及び映像・音声出力部２０６を用いて再生する（Ｓ１１４）。
【００７０】
以上のような動作により、コンテンツ配信システム３００は、コンテンツの視聴制限をコンテンツ配信装置１００と、再生装置２００とのそれぞれにおいて２重に行うことができる。
【００７１】
なお、上記図２の説明では、再生装置２００は、コンテンツリスト要求を送信したが、再生装置は、コンテンツリストを要求することなく、コンテンツの指定をコンテンツ配信装置１００に送信してもよい。
【００７２】
［１−２−２．各装置の動作１］
次に、コンテンツ配信装置１００及び再生装置２００の動作について詳細に説明する。なお、以下の説明では、図２において説明した、ステップＳ１０１〜Ｓ１０７の動作については説明を省略する。
【００７３】
最初に、再生装置２００が、コンテンツリストを要求することなく、コンテンツの指定をコンテンツ配信装置１００に送信する場合の、コンテンツ配信装置１００及び再生装置２００の動作について説明する。
【００７４】
まず、コンテンツ配信装置１００の動作について説明する。
【００７５】
図３は、コンテンツ配信装置１００の動作を示す第１のフローチャートである。
【００７６】
まず、取得部１０１は、放送波を受信し、受信した放送波から映像信号を取得する（Ｓ２００）。
【００７７】
次に、抽出部１０２は、映像信号に含まれる、コンテンツ及び視聴制限情報Ｒを抽出する（Ｓ２０１）。
【００７８】
続いて、配信制御部１０４が、第一の通信部１０５を通じて再生装置２００からコンテンツの指定を受信した場合（Ｓ２０２でＹｅｓ）、指定されたコンテンツの視聴制限情報Ｒと、第一の記憶部１０３に記憶された配信制限設定ＳＲとを比較する（Ｓ２０３）。
【００７９】
指定されたコンテンツが配信制限されるコンテンツである場合、すなわち、Ｒ＞ＳＲである場合（Ｓ２０３でＹｅｓ）、配信制御部１０４は、第一の通信部１０５を通じて再生装置２００に認証情報の要求を送信し、これに対する応答である認証情報を第一の通信部１０５を通じて再生装置２００から受信する（Ｓ２０４）。そして、配信制御部１０４は、受信した認証情報が、第一の記憶部１０３に記憶された第一の認証情報と一致するか否かを判断する（Ｓ２０５）。
【００８０】
ここで、認証情報は、例えば、パスワードやＰＩＮコードである。第一の認証情報は、上述のように予め第一の記憶部１０３に記憶されている認証情報である。第一の認証情報は、コンテンツ配信装置１００の管理者によって設定され、再生装置２００のユーザであって、視聴制限の対象となる年齢の若いユーザには知られていないことが望ましい。
【００８１】
ステップＳ２０３において指定されたコンテンツが配信制限されないコンテンツである場合、すなわち、Ｒ≦ＳＲである場合（Ｓ２０３でＮｏ）、配信制御部１０４は、指定されたコンテンツと当該指定されたコンテンツの視聴制限情報Ｒとを第一の通信部１０５を通じて再生装置２００に配信する（Ｓ２０７）。
【００８２】
同様に、ステップＳ２０５において再生装置２００から受信した認証情報が、第一の認証情報と一致する場合（Ｓ２０５でＹｅｓ）も、配信制御部１０４は、指定されたコンテンツと当該指定されたコンテンツの視聴制限情報Ｒとを第一の通信部１０５を通じて再生装置２００に配信する（Ｓ２０７）。
【００８３】
ステップＳ２０５において受信した認証情報が、第一の認証情報と一致しない場合（Ｓ２０５でＮｏ）、配信制御部１０４は、再生装置２００においてコンテンツの配信ができないことを示すエラー情報を、第一の通信部１０５を通じて再生装置２００に配信する（Ｓ２０６）。
【００８４】
以上がコンテンツ配信装置１００の動作の詳細である。コンテンツ配信装置１００は、ステップＳ２０３において配信するコンテンツを制限するとともに、ステップＳ２０７において配信するコンテンツと合わせてその視聴制限情報Ｒを配信する。これによって、配信されたコンテンツについても、再生装置２００においてさらに視聴制限を行うことができる。
【００８５】
次に、図３のフローチャートに対応する、再生装置２００の動作について説明する。
【００８６】
図４は、再生装置２００の動作を示す第１のフローチャートである。
【００８７】
まず、再生制御部２０２は、操作部２０５を介して再生装置２００のユーザのコンテンツの指定を受け付け、当該コンテンツの指定をコンテンツ配信装置１００に送信する（Ｓ３０１）。
【００８８】
続いて、再生制御部２０２は、第二の通信部２０１を通じてコンテンツ配信装置１００から認証情報の要求を受信した場合（Ｓ３０２でＹｅｓ）、再生制御部２０２は、再生装置２００のユーザに認証情報の入力を要求し、入力された認証情報をコンテンツ配信装置１００に送信する（Ｓ３０３）。再生制御部２０２は、例えば、再生部２０４を介して映像・音声出力部２０６にＰＩＮコードの入力を促す映像を表示し、再生装置２００のユーザに認証情報の入力を要求する。なお、ここでの認証情報の要求は、図３のステップＳ２０４でコンテンツ配信装置１００が配信した認証情報の要求である。
【００８９】
再生制御部２０２は、ステップＳ３０３において、入力した認証情報をコンテンツ配信装置１００に送信した結果、コンテンツ配信装置１００から第二の通信部２０１を通じてエラー情報を受信した場合（Ｓ３０４でＹｅｓ）、再生部２０４を介して映像・音声出力部２０６にエラーメッセージを表示する（Ｓ３１０）。ここでのエラー情報は、図３のステップＳ２０６でコンテンツ配信装置１００が配信したエラー情報である。したがって、エラーメッセージは、ステップＳ３０１において指定したコンテンツがコンテンツ配信装置１００からの配信が制限されるコンテンツである旨のメッセージである。
【００９０】
ステップＳ３０４において、再生制御部２０２がエラー情報を受信しなかった場合（Ｓ３０４でＮｏ）、再生制御部２０２は、ステップＳ３０１において指定したコンテンツを第二の通信部２０１を通じて受信する（Ｓ３０５）。同様に、ステップＳ３０２において再生制御部２０２が認証情報の要求を受信しなかった場合（Ｓ３０２でＹｅｓ）も、再生制御部２０２は、ステップＳ３０１において指定したコンテンツを第二の通信部２０１を通じて受信する（Ｓ３０５）。
【００９１】
ステップＳ３０５において受信したコンテンツが再生制限されないコンテンツである場合、すなわち、Ｒ≦ＴＲである場合（Ｓ３０６でＮｏ）、再生制御部２０２は、ステップＳ３０５で受信したコンテンツを再生する（Ｓ３０７）。具体的には、再生制御部２０２は、ステップＳ３０５で受信したコンテンツを再生部２０４及び映像・音声出力部２０６を用いて再生する。
【００９２】
ステップＳ３０５において受信したコンテンツが再生制限されないコンテンツである場合、すなわち、Ｒ＞ＴＲである場合（Ｓ３０６でＹｅｓ）、再生制御部２０２は、再生装置２００のユーザに認証情報の入力を要求する（Ｓ３０８）。
【００９３】
続いて、再生制御部２０２は、ステップＳ３０８において入力された認証情報が第二の記憶部２０３に記憶された第二の認証情報と一致するか否かを判断し（Ｓ３０９）、一致する場合（Ｓ３０９でＹｅｓ）は、ステップＳ３０５で受信したコンテンツを再生する（Ｓ３０７）。
【００９４】
再生制御部２０２は、ステップＳ３０８において入力された認証情報が第二の記憶部２０３に記憶された第二の認証情報と一致しない場合（Ｓ３０９でＮｏ）は、再生部２０４を介して映像・音声出力部２０６にエラーメッセージを表示する（Ｓ３１０）。ここでのエラーメッセージは、ステップＳ３０１において指定したコンテンツが再生装置２００において再生が制限されるコンテンツである旨のメッセージである。
【００９５】
以上が再生装置２００の動作の詳細である。再生装置２００では、コンテンツ配信装置１００からコンテンツと合わせてその視聴制限情報Ｒを受信する。これによって、再生装置２００は、さらに視聴制限を行うことができる。
【００９６】
［１−２−３．各装置の動作２］
次に、再生装置２００が、コンテンツ配信装置１００にコンテンツリストを要求する場合の、コンテンツ配信装置１００及び再生装置２００の動作について説明する。
【００９７】
まず、コンテンツ配信装置１００の動作について説明する。
【００９８】
図５は、コンテンツ配信装置１００の動作を示す第２のフローチャートである。
【００９９】
まず、取得部１０１は、放送波を受信し、受信した放送波から映像信号を取得する（Ｓ４００）。続いて、抽出部１０２は、映像信号に含まれる、複数のコンテンツ、及び複数のコンテンツそれぞれの視聴制限情報Ｒを抽出する（Ｓ４０１）。
【０１００】
続いて、配信制御部１０４が、第一の通信部１０５を通じて再生装置２００からコンテンツリスト要求を受信した場合（Ｓ４０２でＹｅｓ）、コンテンツリスト生成部１０６は、コンテンツリストを生成する（Ｓ４０３）。具体的には、コンテンツリスト生成部１０６は、まず、ステップＳ４０１において抽出された複数のコンテンツのうちから視聴制限情報Ｒが配信制限設定ＳＲによって配信が制限される範囲に含まれないコンテンツ、すなわち、Ｒ≦ＳＲであるコンテンツを選択する。そして、コンテンツリスト生成部１０６は、選択したコンテンツのコンテンツリストと、当該コンテンツリストに含まれる視聴制限情報Ｒそれぞれとを再生装置２００に配信する（Ｓ４０４）。
【０１０１】
配信制御部１０４が、第一の通信部１０５を通じて再生装置２００からコンテンツの指定を受信した場合（Ｓ４０５でＹｅｓ）、配信制御部１０４は、指定されたコンテンツと当該指定されたコンテンツの視聴制限情報Ｒとを第一の通信部１０５を通じて再生装置に配信する（Ｓ４０６）。このとき、再生装置２００においてコンテンツリストを受信したときに配信制限設定ＴＲに基づいてコンテンツリストが再構成されている場合は、視聴制限情報Ｒは、配信されなくてもよい。
【０１０２】
以上がコンテンツリストを配信する場合の、コンテンツ配信装置１００の動作の詳細である。
【０１０３】
次に、図５のフローチャートに対応する、再生装置２００の動作について説明する。
【０１０４】
図６は、再生装置２００の動作を示す第２のフローチャートである。
【０１０５】
まず、再生制御部２０２は、操作部２０５を介して再生装置２００のユーザのコンテンツリスト要求を受け付け、当該コンテンツリスト要求をコンテンツ配信装置１００に送信する（Ｓ５０１）。
【０１０６】
続いて、再生制御部２０２は、第二の通信部２０１を通じてコンテンツ配信装置１００からコンテンツリストを受信する（Ｓ５０２）。このとき、再生制御部２０２が受信するコンテンツリストは、図５のステップ４０３において、コンテンツリスト生成部１０６が生成したものである。
【０１０７】
さらに、再生制御部２０２は、コンテンツリストを再構成し、映像・音声出力部２０６に表示する（Ｓ５０３）。具体的には、再生制御部２０２は、コンテンツリストに含まれるコンテンツの中からＲ≦ＴＲとなるコンテンツを抽出し、抽出したコンテンツのみが含まれるコンテンツリストを再構成する。続いて、再生制御部２０２は、再構成したコンテンツリストを再生部２０４を介して映像・音声出力部２０６に表示する。
【０１０８】
次に、再生制御部２０２は、操作部２０５を介して再生装置２００のユーザのコンテンツの指定を受け付け、当該コンテンツの指定をコンテンツ配信装置１００に送信する（Ｓ５０４）。
【０１０９】
続いて、再生制御部２０２は、ステップＳ５０４において指定したコンテンツを第二の通信部２０１を通じて受信し（Ｓ５０５）、受信したコンテンツを再生する（Ｓ５０６）。
【０１１０】
なお、実施の形態１では、ステップＳ５０３においてコンテンツリストを再構成しているが、ステップＳ５０３では、受信したコンテンツリストをそのまま映像・音声出力部２０６に表示してもよい。コンテンツリストは、コンテンツそのものが表示される場合とは異なるため、コンテンツリスト自体が視聴制限されることは必須ではないからである。このような場合は、ステップＳ５０４以降に、図４のステップＳ３０２〜ステップＳ３１０と同様の動作を行うことで、再生装置２００における再生制限を実行するとよい。
【０１１１】
［１−３．具体例及び適用例］
［１−３−１．具体例］
以下、コンテンツ配信システム３００によるコンテンツの視聴制限の具体例について説明する。
【０１１２】
図７は、コンテンツ配信システム３００によるコンテンツの視聴制限の具体例を説明するための図である。
【０１１３】
図７の例では、取得部１０１が取得する映像信号には、一例として、３つのチャンネル（チャンネル＃１、チャンネル＃２、チャンネル＃３）の信号が含まれているものとする。また、各チャンネルは、時間帯によって、コンテンツの内容が変化するものとする。
【０１１４】
具体的には、例えば、チャンネル＃１においては、７：００〜８：００の時間帯は、コンテンツ「ニュース１１」が配信され、８：００〜１０：００の時間帯は、コンテンツ「バラエティー１２」が配信され、１０：００以降は、コンテンツ「ドラマ１３」が配信される。
【０１１５】
また、図７に示される［］内の数字は、視聴制限情報を示す。例えば、コンテンツ「ドラマ１３」は、視聴制限情報Ｒ＝１５であり、コンテンツの対象年齢が１５歳以上であることを示す。なお、［Ｒ：未設定］と表記されているコンテンツは、視聴制限情報を有しないコンテンツである。以下の説明では、このような対象年齢が設定されていないコンテンツは、視聴制限を受けないものとして説明される。
【０１１６】
図７に示されるケース（１）では、コンテンツ配信装置１００の配信制限設定ＳＲ＝１５、再生装置２００の再生制限設定ＴＲ＝１３である。
【０１１７】
ケース（１）では、７：００〜１０：００の時間帯において、チャンネル＃３に含まれるコンテンツのみが配信制限設定ＳＲ＝１５（Ｒ≦１５）の条件を満たさない。よって、コンテンツ配信装置１００からは、チャンネル＃３に含まれるコンテンツのみが配信されない。すなわち、７：００〜１０：００の時間帯においては、チャンネル＃１及びチャンネル＃２に含まれるコンテンツのみが再生装置２００に配信される。
【０１１８】
一方、ケース（１）では、７：００〜８：００、及び９：００〜１０；００の各時間帯においては、チャンネル＃１及びチャンネル＃２に含まれるコンテンツは、再生制限設定ＴＲ＝１３（Ｒ≦１３）の条件を満たす。よって、７：００〜８：００、及び９：００〜１０；００の各時間帯においては、チャンネル＃１及びチャンネル＃２に含まれるコンテンツは、再生装置２００によって再生可能なコンテンツである。
【０１１９】
しかしながら、８：００〜９：００の時間帯においては、チャンネル＃２に含まれるコンテンツが、１０：００以降の時間帯においては、チャンネル＃１に含まれるコンテンツが、それぞれ再生制限設定ＴＲ＝１３（Ｒ≦１３）の条件を満たさない。したがって、８：００〜９：００の時間帯においては、チャンネル＃１に含まれるコンテンツのみが、１０：００以降の時間帯においては、チャンネル＃２に含まれるコンテンツのみが、再生装置２００によって再生可能なコンテンツである。
【０１２０】
また、図７に示されるケース（２）では、コンテンツ配信装置１００の配信制限設定ＳＲ＝１３、再生装置２００の再生制限設定ＴＲ＝１６である。
【０１２１】
ケース（２）では、７：００〜８：００、及び９：００〜１０；００の各時間帯においては、チャンネル＃３に含まれるコンテンツのみが、配信制限設定ＳＲ＝１３（Ｒ≦１３）の条件を満たさない。よって、７：００〜８：００、及び９：００〜１０；００の各時間帯においては、チャンネル＃３に含まれるコンテンツのみが配信されない。すなわち、７：００〜８：００、及び９：００〜１０；００の各時間帯においては、チャンネル＃１及びチャンネル＃２に含まれるコンテンツのみが再生装置２００に配信される。
【０１２２】
また、８：００〜９：００の時間帯においては、チャンネル＃２及びチャンネル＃３に含まれるコンテンツは、配信制限設定ＳＲ＝１３（Ｒ≦１３）の条件を満たさないため配信されず、チャンネル＃１に含まれるコンテンツのみが配信される。同様に、１０：００以降の時間帯においては、チャンネル＃１及びチャンネル＃３に含まれるコンテンツは、配信制限設定ＳＲ＝１３（Ｒ≦１３）の条件を満たさないため配信されず、チャンネル＃２に含まれるコンテンツのみが配信される。
【０１２３】
一方、ケース（２）では、配信制限設定ＳＲ＞再生制限設定ＴＲであるため、７：００〜１０：００の全ての時間帯において、再生装置２００においてさらにコンテンツの再生が制限されることはない。したがって、ケース（２）では、全ての時間帯において、コンテンツ配信装置１００から配信されたコンテンツは全て、再生装置２００によって再生可能なコンテンツとなる。
【０１２４】
なお、以上の図７の説明では、１つのコンテンツに、１つの視聴制限情報が対応付けられているが、視聴制限情報は、１つのコンテンツ再生中（配信中）に変動してもよい。したがって、再生装置２００においては、コンテンツの再生中にコンテンツの再生が停止するような場合も考えられる。このような場合、再生装置２００は、再生装置２００のユーザに認証情報の入力を要求し、入力された認証情報が第二の認証情報と一致すれば、コンテンツの再生を続行するような構成が望ましい。
【０１２５】
なお、以上の図７の説明では、視聴制限情報を有しないコンテンツについては、視聴制限を受けないものと取り扱われたが、視聴制限情報を有しないコンテンツの取り扱いをユーザが設定可能な構成であってもよい。
【０１２６】
具体的には、例えば、第一の記憶部１０３に、モード設定が記憶され、配信制御部１０４は、モード設定に基づいて視聴制限情報を有しないコンテンツの取り扱いを決定してもよい。
【０１２７】
ここでモード設定は、例えば、視聴制限情報を有しないコンテンツの配信を許可するモード、視聴制限情報を有しないコンテンツの配信を一切許可しないモード、視聴制限情報を有しないコンテンツを所定の視聴制限情報（例えば、Ｒ＝１５）として取り扱うモードなどを含む設定である。
【０１２８】
［１−３−２．適用例］
以下、コンテンツ配信システム３００によるコンテンツの視聴制限の適用例について説明する。
【０１２９】
図８は、コンテンツ配信システム３００の適用例を説明するための図である。
【０１３０】
図８では、コンテンツ配信装置１００の一例としてセットトップボックス１００ａが図示されている。また、再生装置２００の例としてテレビ２００ａ、スマートフォン２００ｂ、及びスマートフォン２００ｃが図示されている。
【０１３１】
以下、図８を用いてコンテンツ配信システム３００が一般家庭において用いられる例について説明する。
【０１３２】
以下の説明では、父親、１３歳の子供、１６歳の子供がコンテンツ配信システムを利用するものとする。
【０１３３】
ここで、父親は、スマートフォン２００ｃを所有し、なおかつリビングに設けられたセットトップボックス１００ａを管理しているものとする。セットトップボックス１００ａの第一の記憶部には、父親のみが知っている第一の認証情報が記憶されているものとする。また、セットトップボックス１００ａでは、配信制限情報ＳＲ＝１６に設定され、スマートフォン２００ｃでは、再生制限情報ＴＲは、設定されていないものとする。
【０１３４】
ここで、１３歳の子供は、スマートフォンを所有していない。したがって、コンテンツを視聴するためには、リビングに設けられたテレビ２００ａを視聴しなければならない。よって、リビングのテレビ２００ａは、再生制限情報ＴＲ＝１３（Ｒ≦１３）に設定されている。
【０１３５】
すなわち、セットトップボックス１００ａからは、Ｒ≦１６のコンテンツが配信されるが、テレビ２００ａにおいては、Ｒ≦１３のコンテンツのみが再生されることとなる。よって、１３歳の子供は、自己の年齢に応じたコンテンツを視聴することが可能である。
【０１３６】
一方、１６歳の子供は、スマートフォン２００ｂを所有しており、スマートフォン２００ｂでは、再生制限情報ＴＲ＝１６に設定されている。
【０１３７】
したがって、セットトップボックス１００ａから配信されるＲ≦１６のコンテンツは、スマートフォン２００ｂにおいては、全て再生可能である。よって、１６歳の子供は、自己の年齢に応じたコンテンツを視聴することが可能である。
【０１３８】
ここで、１６歳の子供が、スマートフォン２００ｂの再生制限情報ＴＲを「設定なし」に変更し、スマートフォン２００ｂによってＲ＞１６のコンテンツの視聴を試みたとする。ところが、セットトップボックス１００ａからは、Ｒ≦１６のコンテンツしか配信されない。また、１６歳の子供は、上述の第一の認証情報を知らない。このため、１６歳の子供は、スマートフォン２００ｂによってＲ＞１６のコンテンツの視聴することができない。つまり、コンテンツ配信システム３００によれば、適切な視聴制限が行われる。
【０１３９】
さらに、父親は、上述のように、第一の認証情報を知っている。セットトップボックス１００ａからは、Ｒ≦１６のコンテンツしか原則的には配信されないが、父親は、例外的に認証情報を入力してスマートフォン２００ｃでＲ＞１６のコンテンツの視聴をすることができる。
【０１４０】
以上、図８を用いて説明したように、コンテンツ配信システム３００（コンテンツ配信装置１００）によれば、コンテンツを視聴する各ユーザの年齢に応じて各ユーザの視聴制限を適切に行うことができる。
【０１４１】
なお、図８のような場合、父親のスマートフォン２００ｃを示す第一の端末情報がセットトップボックス１００ａの第一の記憶部１０３に記憶されていてもよい。ここで、第一の端末情報とは、特定の再生装置（ここでは、スマートフォン２００ｃ）を示す情報であり、例えば再生装置２００のＭＡＣ（Ｍｅｄｉａ  Ａｃｃｅｓｓ  Ｃｏｎｔｒｏｌ）アドレスなどが用いられるが、再生装置２００を示す情報であればどのようなものであってもよい。
【０１４２】
この場合、スマートフォン２００ｃは、例えば、図２のステップＳ１０５のデバイス情報要求の送信時、またはコンテンツの指定の送信時に、スマートフォン２００ｃの端末情報（例えば、ＭＡＣアドレス）をコンテンツ配信装置１００に送信しておく。ここで、セットトップボックス１００ａの配信制御部１０４は、スマートフォン２００ｃから端末情報を受信した場合に、受信した端末情報と第一の記憶部１０３に記憶された第一の端末情報とを比較する。セットトップボックス１００ａの配信制御部１０４は、受信した端末情報と第一の端末情報とが一致すると判断したときは、スマートフォン２００ｃに対しては、コンテンツの視聴制限情報Ｒが、セットトップボックス１００ａの配信制限設定ＳＲによって配信が制限される範囲であるか否かにかかわらず、指定されたコンテンツの配信を行う。
【０１４３】
これにより、視聴制限を受ける必要のないユーザは、認証情報等の入力等を行わなくとも簡単にコンテンツの視聴制限を解除することができる。
【０１４４】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。
【０１４５】
そこで、以下、他の実施の形態をまとめて説明する。
【０１４６】
実施の形態１では、コンテンツの対象年齢に基づく視聴制限を行う例について説明したが、視聴制限は、他のパラメータに基づいて行われてもよい。例えば、ＰＰＶ（Ｐａｙ  Ｐｅｒ  Ｖｉｅｗ）のコンテンツにおいては、コンテンツの購入金額（値段）に応じて視聴制限を行ってもよい。
【０１４７】
この場合、コンテンツの購入金額を示す金額情報が視聴制限情報であり、コンテンツの購入限度額の設定である、購入限度額設定が配信制限設定及び再生制限設定となる。なお、購入限度額設定は、ユーザによって設定され、第一の記憶部１０３及び第二の記憶部２０３に予め記憶される。
【０１４８】
また、実施の形態１において配信制御部１０４は、コンテンツリストの配信時に、コンテンツリストから除外されたコンテンツを示す情報を当該コンテンツリストに含めて配信してもよい。ここで、コンテンツリストから除外されたコンテンツとは、視聴制限情報Ｒが配信制限設定ＳＲによって配信が制限される範囲に含まれると判断されたコンテンツである。
【０１４９】
例えば、コンテンツリストが再生装置２００の映像・音声出力部２０６にサムネイル形式で表示される場合、コンテンツリストにおいて、上記除外されたコンテンツが全く表示されないのではなく、上記除外されたコンテンツが黒画のサムネイルで表示されてもよい。すなわち、この場合、コンテンツリストから除外されたコンテンツを示す情報とは、黒画のサムネイルである。
【０１５０】
また、例えば、コンテンツリストが映像・音声出力部２０６にコンテンツのタイトル一覧として表示される場合、上記除外されたコンテンツのタイトルが全く表示されないのではなく、上記除外されたコンテンツのタイトルが、いわゆるグレーアウトされた状態で表示されてもよい。すなわち、この場合、コンテンツリストから除外されたコンテンツを示す情報とは、グレーアウトされたタイトルである。
【０１５１】
また、上記除外されたコンテンツの数をコンテンツリストにおいて表示してもよい。この場合、コンテンツリストから除外されたコンテンツを示す情報とは、コンテンツリストに表示されたコンテンツの数である。
【０１５２】
これにより、コンテンツ配信装置１００は、再生装置２００のユーザにコンテンツ配信装置１００において配信が制限されたコンテンツの存在を通知することができる。また、このような構成では、再生装置２００のユーザは、上記黒画のサムネイルや、グレーアウトされたタイトルを指定することできる。したがって、コンテンツ配信装置１００は、上記除外されたコンテンツが指定された場合は、認証情報の入力を条件として指定されたコンテンツを配信することができる。
【０１５３】
また、再生装置２００からコンテンツリスト要求を送信する場合、コンテンツのジャンル（スポーツ、ニュース、ドラマなど）を指定する情報を含めてコンテンツリストを要求してもよい。
【０１５４】
また、実施の形態１では、取得部１０１は、放送波から映像信号を取得したが、取得部１０１は、映像信号が記憶されるコンテンツ記憶部から映像信号を取得してもよい。
【０１５５】
図９は、コンテンツ配信システムの別の例を示す図である。
【０１５６】
図９に示されるコンテンツ配信システム３００ａでは、コンテンツ配信装置１００ｂは、さらに、コンテンツ記憶部１０８を備える。コンテンツ記憶部１０８は、例えば、ＨＤＤ（Ｈａｒｄ  Ｄｉｓｃ  Ｄｒｉｖｅ）や、光ディスクドライブである。すなわち、取得部１０１は、ＨＤＤに記憶された映像信号や、光ディスクドライブに挿入されたディスクメディアから映像信号を取得してもよい。すなわち、コンテンツ配信装置のコンテンツの配信は、実施の形態１のようなストリーミング配信に限定されない。
【０１５７】
また、実施の形態１では、コンテンツ配信装置１００は、再生装置２００からコンテンツの指定を受信、またはコンテンツリスト要求の受信を契機にコンテンツの配信を行ったが、再生装置２００からコンテンツの指定等を受信せずにコンテンツの配信を行ってもよい。
【０１５８】
例えば、コンテンツ配信装置１００側からコンテンツリストを再生装置に送信し、コンテンツの配信を提案してもよい。すなわち、コンテンツの指定を受信し、またはコンテンツリスト要求の受信することは、必須でない。
【０１５９】
また、コンテンツは、典型的には動画像であるが、静止画や音楽などであってもよい。
【０１６０】
また、例えば、本開示のコンテンツ配信装置及び再生装置は、その一部あるいは全部が、専用ハードウェアによる回路で実現されてもよいし、プロセッサにより実行されるプログラムとして実現されてもよい。すなわち、以下のような場合も本開示に含まれる。
【０１６１】
（１）上記の各装置は、具体的には、マイクロプロセッサ、ＲＯＭ、ＲＡＭ、ハードディスクユニット、ディスプレイユニット、キーボード、マウスなどから構成されるコンピュータシステムで実現され得る。ＲＡＭまたはハードディスクユニットには、コンピュータプログラムが記憶されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０１６２】
（２）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＯＭには、コンピュータプログラムが記憶されている。マイクロプロセッサが、ＲＯＭからＲＡＭにコンピュータプログラムをロードし、ロードしたコンピュータプログラムにしたがって演算等の動作することにより、システムＬＳＩは、その機能を達成する。
【０１６３】
（３）上記の各装置を構成する構成要素の一部または全部は、各装置に脱着可能なＩＣカードまたは単体のモジュールから構成されてもよい。ＩＣカードまたはモジュールは、マイクロプロセッサ、ＲＯＭ、ＲＡＭなどから構成されるコンピュータシステムである。ＩＣカードまたはモジュールには、上記の超多機能ＬＳＩが含まれてもよい。マイクロプロセッサが、コンピュータプログラムにしたがって動作することにより、ＩＣカードまたはモジュールは、その機能を達成する。このＩＣカードまたはこのモジュールは、耐タンパ性を有してもよい。
【０１６４】
（４）本開示は、上記に示す方法で実現されてもよい。また、これらの方法をコンピュータにより実現するコンピュータプログラムで実現してもよいし、コンピュータプログラムからなるデジタル信号で実現してもよい。
【０１６５】
また、本開示は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したもので実現してもよい。また、これらの記録媒体に記録されているデジタル信号で実現してもよい。
【０１６６】
また、本開示は、コンピュータプログラムまたはデジタル信号を、電気通信回線、無線または有線通信回線、インターネットを代表とするネットワーク、データ放送等を経由して伝送してもよい。
【０１６７】
また、本開示は、マイクロプロセッサとメモリを備えたコンピュータシステムであって、メモリは、コンピュータプログラムを記憶しており、マイクロプロセッサは、コンピュータプログラムにしたがって動作してもよい。
【０１６８】
また、プログラムまたはデジタル信号を記録媒体に記録して移送することにより、またはプログラムまたはデジタル信号をネットワーク等を経由して移送することにより、独立した他のコンピュータシステムにより実施するとしてもよい。
【０１６９】
（５）上記実施の形態及び上記変形例をそれぞれ組み合わせるとしてもよい。
【０１７０】
以上のように、本開示における技術の例示として、実施の形態を説明した。そのために、添付図面及び詳細な説明を提供した。
【０１７１】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１７２】
また、上述の実施の形態は、本開示における技術を例示するためのものであるから、特許請求の範囲またはその均等の範囲において種々の変更、置き換え、付加、省略などを行うことができる。
【産業上の利用可能性】
【０１７３】
本開示のコンテンツ配信装置によれば、コンテンツを視聴する各ユーザの年齢等に応じて適切に視聴制限を行うことができ、本開示のコンテンツ配信装置は、セットトップボックス、テレビ、ＨＤＤレコーダなどとして有用である。
【符号の説明】
【０１７４】
１００、１００ｂ  コンテンツ配信装置
１００ａ  セットトップボックス
１０１  取得部
１０２  抽出部
１０３  第一の記憶部
１０４  配信制御部
１０５  第一の通信部
１０６  コンテンツリスト生成部
１０７  限定受信部
１０８  コンテンツ記憶部
２００  再生装置
２００ａ  テレビ
２００ｂ、２００ｃ  スマートフォン
２０１  第二の通信部
２０２  再生制御部
２０３  第二の記憶部
２０４  再生部
２０５  操作部
２０６  映像・音声出力部
３００、３００ａ  コンテンツ配信システム
【図１】
2014195154.tif 000003
【図２】
2014195154.tif 000004
【図３】
2014195154.tif 000005
【図４】
2014195154.tif 000006
【図５】
2014195154.tif 000007
【図６】
2014195154.tif 000008
【図７】
2014195154.tif 000009
【図８】
2014195154.tif 000010
【図９】
2014195154.tif 000011